(57)【特許請求の範囲】
【請求項１】
収納ユニット（２）の製造方法であって、
歯状移動式係止構造（１）は、エレメント（７０）と複数のスライダー（７１）とテープ（９）からなり、
複数の歯部（８）をテープ（９）の端部に並んで１列に設けて、前記エレメント（７０）とし、前記歯部（８）は、抜防止部（６）を備え、
前記スライダー（７１）を、前記エレメント（７０）に、前記抜防止部（６）と跨ぎ掛部（７）にて抜けないように、スライド可能に設け、
前記抜防止部（６）は、前記歯部（８）に跨いで設けられた前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記テープ（９）の端部に前記歯部（８）が並んで１列に設けられた前記エレメント（７０）と、複数の前記スライダー（７１）を１つのセットとして構成された歯状移動式係止構造（１）とし、可撓性を有するシート部材である可撓性シート部材（１０）に、前記歯状移動式係止構造（１）を設け、
前記歯状移動式係止構造（１）に備えられた前記スライダー（７１）が単独にて、係止部材または保持部材（１９）を設けて保持機能を備えさせて、設置アイテム（１８）を自由な位置に係止または保持可能であることを特徴とする収納ユニット（２）の製造方法。
【請求項２】
歯状移動式係止構造（１）は、可撓性を有するシート部材である可撓性シート部材（１０）に設けられて使用可能な、移動式係止構造であって、
エレメント（７０）と複数のスライダー（７１）とテープ（９）からなり、
前記エレメント（７０）は、複数の歯部（８）がテープ（９）の端部の、歯設置部（５）に並んで１列に設けられており、前記歯部（８）は、抜防止部（６）を備え、
前記スライダー（７１）は、前記エレメント（７０）に、前記抜防止部（６）と跨ぎ掛部（７）にて抜けないように、スライド可能に設けられ、
前記抜防止部（６）は、前記歯部（８）に跨いで設けられた前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記テープ（９）の端部に前記歯部（８）が並んで１列に設けられた前記エレメント（７０）と、複数の前記スライダー（７１）を１つのセットとして構成されたことを特徴とする歯状移動式係止構造（１）。
【請求項３】
前記スライダー（７１）に設けられたつまみ（５９）が、前記跨ぎ掛部（７）の対向する側である跨ぎ掛対向部（４）に設けられたことを特徴とする請求項２に記載の歯状移動式係止構造（１）。
【請求項４】
前記スライダー（７１）が、歯部（８）が挿通されたレール穴Ａ（４７）と、前記レール穴Ａ（４７）の跨ぎ掛対向部（４）側に設けられたレール穴Ｂ（４８）を備え、前記レール穴Ｂ（４８）に、つまみ（５９）、または係止部材または保持部材（１９）、または収納構造物（３０）を備えたことを特徴とする請求項２に記載の歯状移動式係止構造（１）。
【請求項５】
前記スライダー（７１）に設けられたつまみ（５９）が、跨ぎ掛対向部（４）から、テープ（９）の面と略同方向の面にスライドして移動可能な、つまみスライド部（４９）を備えたことを特徴とする請求項２から請求項４のいずれかに記載の歯状移動式係止構造（１）。
【請求項６】
前記テープ（９）が、着脱テープ係止部を備えたことを特徴とする請求項２から請求項５のいずれかに記載の歯状移動式係止構造（１）。
【請求項７】
可撓性を有するシート部材である可撓性シート部材（１０）は歯状移動式係止構造（１）を備え、
前記歯状移動式係止構造（１）は、エレメント（７０）と複数のスライダー（７１）とテープ（９）からなり、
前記エレメント（７０）は、複数の歯部（８）をテープ（９）の端部に並んで１列に設けた構成であり、
前記歯部（８）は、抜防止部（６）を備え、
前記スライダー（７１）を、前記エレメント（７０）に、前記抜防止部（６）と跨ぎ掛部（７）にて抜けないように、スライド可能に設け、
前記抜防止部（６）は、前記歯部（８）に跨いで設けられた前記スライダー（７１）の抜け防止機能を備えた部分であり、
前記スライダー（７１）に備えられた前記跨ぎ掛部（７）が、前記抜防止部（６）に引っ掛かることによって、前記スライダー（７１）が前記歯部（８）から抜けて脱落することを防止し、
前記歯状移動式係止構造（１）は、前記テープ（９）の端部に並んで前記歯部（８）が１列に設けられた前記エレメント（７０）と、複数の前記スライダー（７１）を１つのセットとして構成され、
前記可撓性シート部材（１０）は、シート設置具（２９）を備え、該シート設置具（２９）によって、
壁や支持材に設置可能であり、前記歯状移動式係止構造（１）に設けられたスライダー（７１）を単独で移動可能で、設置アイテム（１８）を前記スライダー（７１）に保持可能に、
前記歯状移動式係止構造（１）を備えたことを特徴とする収納ユニット（２）。
【請求項８】
前記テープ（９）と前記可撓性シート部材（１０）が、着脱可能に係止可能であることを特徴とする請求項７に記載の収納ユニット（２）。
【請求項９】
前記設置アイテム（１８）が収納構造物（３０）であることを特徴とする請求項７から請求項８のいずれかに記載の収納ユニット（２）。
【請求項１０】
前記収納構造物（３０）が、ポケットまたは容器であることを特徴とする請求項９に記載の収納ユニット（２）。
【請求項１１】
前記、可撓性シート部材（１０）がカーテンであることを特徴とする請求項７から請求項１０のいずれかに記載の収納ユニット（２）。
【請求項１２】
前記設置アイテム（１８）が案内表示物（１２０）であることを特徴とする請求項７または請求項８のいずれかに記載の収納ユニット（２）。
【発明の詳細な説明】
【技術分野】
【０００１】
本発明は、物の係止、保持、収納についての自由度の高い保持、係止構造の技術に関する。
【背景技術】
【０００２】
従来から、物の壁面への係止や保持、収納には、壁に吊り具をねじ止めや画鋲やリベット等で留めて、必要な係止具や保持具や収納具を設置するのが一般的である。
また、突っ張り棒などを利用して、壁際にそうした係止具や保持具を取り付けるという方法も存在する。
また、壁に係止具や保持具を備えたレールをネジ等で設置して、レール上で移動可能な保持具として、ちょっとした絵などを掲示する方法も存在する。
【０００３】
また、壁等への損傷を気にせず、自由な場所に係止や保持、収納できるような自由度の高い係止、保持構造は、本願発明者による特許文献３の構成が存在するが、更なる改善点もあり、より自由度が高く、容易で、コスト的にもメリットの高い移動式の係止構造が求められている。
【０００４】
また、看板等の案内表示物においても、木製や金属製といった平坦な表面に社名や広告等を表示する方法があり、また、壁等に係止具を設置してシート状の看板を設けるような方法も存在する。しかし、更に看板のサイズや数等の変更が容易で、自由度の高い案内表示が可能な係止構造技術が求められている。
【０００５】
このような現状に鑑み、本発明者以外にも従来から種々の技術が提案されている。
【０００６】
例えば、特許文献１には、発明の名称を「壁面取付具」とする技術が開示され、公知技術となっている（特許文献１参照）。
具体的には、パネル上部に取り付ける左右調整具と下部に取り付ける上下調整具とからなり、左右調整具は水平方向に突出するア−ムからなり、該ア−ムは前記保持部内部を左右方向に移動可能に挿通され先端部にパネルを引っ掛けるためのフックが設けられた構成からなる、パネルの取付具であるが、看板のサイズや数等の変更が容易で、自由度の高い案内表示が可能とする係止をするという課題を解決するものではない。
【０００７】
また、特許文献２には、発明の名称を「移動式係止構造」とする技術が本願発明者によって提案されており、特許取得済みである（特許文献３参照）。係る提案内容においては、スライダーを二つ一組で係止ペアとして、係止部材または保持部材とする構成であるが、係る構成だと、スライダーを二つ単位で必要であったり、コスト面や使用シーンがやや狭くなる等の課題が残るものである。
また、係る発明の提案者である本願発明者は、更により広く、深い応用、活用範囲、また、よりシンプルあるいは多彩な部材、構造、及び、より発展的な部材、構造、より低いコストと利便性について、その製造方法や構成を開発するといった課題も追及すべきといえる。
【先行技術文献】
【特許文献】
【０００８】
【特許文献１】特開２００５−９５５１７号
【特許文献２】特許第6343087号
【発明の概要】
【発明が解決しようとする課題】
【０００９】
係止、保持、収納位置、数量、サイズを自由に調整でき、壁への穴等の損傷や汚れを最小限にすることが可能な自由度の高い係止、保持、収納構造物を提供する。
【課題を解決するための手段】
【００１０】
本発明においては、歯状移動式係止構造（１）は、エレメント（７０）と複数のスライダー（７１）とテープ（９）からなり、
複数の歯部（８）をテープ（９）の端部に並んで１列に設けて、前記エレメント（７０）とし、前記歯部（８）は、抜防止部（６）を備え、
前記スライダー（７１）を、前記エレメント（７０）に、前記抜防止部（６）と跨ぎ掛部（７）にて抜けないように、スライド可能に設け、
前記抜防止部（６）は、前記歯部（８）に跨いで設けられた前記スライダー（７１）の抜け防止機能を備えた部分であり、
前記テープ（９）の端部に並んで１列に設けられた前記エレメント（７０）と、複数の前記スライダー（７１）を１つのセットとして構成された歯状移動式係止構造（１）とし、
可撓性を有するシート部材である可撓性シート部材（１０）に、前記歯状移動式係止構造（１）を設け、
前記歯状移動式係止構造（１）に備えられた前記スライダー（７１）が単独にて、係止部材または保持部材（１９）を設けて保持機能を備えさせて、設置アイテム（１８）を自由な位置に係止または保持可能である手段を採用する。
【００１１】
また、本発明においては、歯状移動式係止構造（１）は、可撓性を有するシート部材である可撓性シート部材（１０）に設けられて使用可能な、移動式係止構造であって、
エレメント（７０）と複数のスライダー（７１）とテープ（９）からなり、
前記エレメント（７０）は、複数の歯部（８）がテープ（９）の端部の、歯設置部（５）に並んで１列に設けられており、前記歯部（８）は、抜防止部（６）を備え、前記スライダー（７１）は、前記抜防止部（６）を跨ぎ掛部（７）にて、跨いで設けられて、前記エレメント（７０）にスライド可能に設けられ、前記抜防止部（６）は、前記歯部（８）に跨いで設けられた、前記スライダー（７１）の抜け防止機能を備えた部分であり、前記テープ（９）の端部に並んで１列に設けられた前記エレメント（７０）と、複数の前記スライダー（７１）を１つのセットとして構成された構成を採用する。
【００１２】
また、本発明に係る歯状移動式係止構造（１）は、前記スライダー（７１）に設けられたつまみ（５９）が、前記跨ぎ掛部（７）の対向する側である跨ぎ掛対向部（４）に設けられた構成を採用することもできる。
【００１３】
また、本発明は、前記スライダー（７１）が、歯部（８）が挿通されたレール穴Ａ（４７）と、前記レール穴Ａ（４７）の跨ぎ掛対向部（４）側に設けられたレール穴Ｂ（４８）を備え、前記レール穴Ｂ（４８）に、つまみ（５９）、または係止部材または保持部材（１９）、または収納構造物（３０）を備えた構成を採用することもできる。
【００１４】
また、本発明は、前記スライダー（７１）に設けられたつまみ（５９）が、跨ぎ掛対向部（４）から、テープ（９）の面と略同方向の面にスライドして移動可能な、つまみスライド部（４９）を備えた構成を採用することもできる。
【００１５】
また、本発明に係る収納ユニットは、可撓性を有するシート部材である可撓性シート部材（１０）は歯状移動式係止構造（１）を備え、
前記歯状移動式係止構造（１）は、エレメント（７０）と複数のスライダー（７１）とテープ（９）からなり、
前記エレメント（７０）に、複数の歯部（８）をテープ（９）の端部に並んで１列に設け、前記歯部（８）は、抜防止部（６）を備え、
前記スライダー（７１）を、複数の前記抜防止部（６）を跨ぎ掛部（７）にて、跨いで設け、前記エレメント（７０）にスライド可能に設け、
前記抜防止部（６）は、前記歯部（８）に跨いで設けられた、前記スライダー（７１）の抜け防止機能を備えた部分であり、
前記テープ（９）の端部に並んで１列に設けられた前記エレメント（７０）と、複数の前記スライダー（７１）を１つのセットとして構成された歯状移動式係止構造（１）であり、前記可撓性シート部材（１０）は、シート設置具（２９）を備え、壁や吊設可能な支持材に設置可能に様々な設置アイテム（１８）を保持可能に、前記歯状移動式係止構造（１）を備えた構成を採用する。
【００１６】
また、本発明は、前記設置アイテム（１８）が収納構造物（３０）である構成を採用することもできる。
【００１７】
また、本発明は、前記収納構造物（３０）が、ポケットまたは容器である
構成を採用することもできる。
【００１８】
また、本発明は、前記、可撓性シート部材（１０）がカーテンである構成を採用することもできる。
【００１９】
また、本発明は、前記設置アイテム（１８）が案内表示物（１２０）である構成を採用することもできる。
【００２０】
また、本発明は、前記テープ（９）が、着脱テープ係止部を備えた構成を採用することもできる。
【発明の効果】
【００２１】
本発明に係る移動式係止構造によれば、係止、保持、収納位置が自由であるという優れた効果を発揮する。
【００２２】
また、本発明に係る歯状移動式係止構造によれば、素材が可撓性を有する素材で構成されていることから、多様な物品の形状に対応して係止、保持、収納できるという優れた効果を発揮するものである。
【００２３】
また、本発明に係る歯状移動式係止構造によれば、係止、保持、収納物を、巻いてまとめて移動可能であるという優れた効果を発揮する。
【００２４】
また、本発明に係る歯状移動式係止構造によれば、壁に穴等の損傷をより少なく、且つ、汚れ無く係止、保持、収納できるという優れた効果を発揮する。
【００２５】
また、本発明に係る歯状移動式係止構造によれば、省スペースな収納が可能であるという優れた効果を発揮する。
【００２６】
また、本発明に係る歯状移動式係止構造によれば、自由度の高い案内表示の掲示が可能であるという優れた効果を発揮する。
【００２７】
また、本発明に係る歯状移動式係止構造によれば、自由度の高い収納が可能であるという優れた効果を発揮する。
【００２８】
また、本発明に係る歯状移動式係止構造によれば、素材の略すべてが可撓性を有する素材で構成されていることから、多様な物品の形状に対応して装着できるという優れた効果を発揮するものである。
【図面の簡単な説明】
【００２９】
【図１】本発明に係る基本構成を説明する構成説明図
【図２】本発明に係る実際の使用実施例説明図
【図３】本発明に係るポケットを設けた構成の例説明図
【図４】本発明に係るスライダーのバリエーションの構成の例説明図
【図５】本発明に係る案内表示物係止の構成の例説明図
【図６】本発明に係る着脱テープ係止部の構成の例説明図
【発明を実施するための形態】
【００３０】
本発明に係る歯状移動式係止構造１は、エレメント７０と複数のスライダー７１とテープ９からなり、係るエレメント７０は、複数の歯部８をテープ９の端部に並んで１列に設けられて構成し、係る歯部８は、抜防止部６を備え、係るスライダー７１を、係るエレメント７０にスライド可能に設け、係る抜防止部６は、係る歯部８に跨いで設けられた係るスライダー７１の抜け防止機能を備えた部分であり、係るテープ９の端部に並んで１列に設けられた係るエレメント７０と、複数の係るスライダー７１によって構成された構造を備え、スライドして移動可能で、自由度が高く、係止、保持可能である構造を備えて、スペースを取らない収納に大きな効果を備えたことを最大の特徴とするものである。
【００３１】
以下、図面に基づいて本発明について説明する。但し、各図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能とする。
【００３２】
図１は、本発明に係る歯状移動式係止構造１の基本的な構成の例を示しており、図１（a）の構成の例は、係る歯状移動式係止構造１の横断面図の構成の例、図１（ｂ）の構成の例は縦断面図の構成の例、図１（ｃ）は、係る歯状移動式係止構造１を可撓性シート部材１０に設けられた構成の例を示している。
【００３３】
図１（a）の構成の例は、エレメント７０と、３つのスライダー７１とテープ９からなり、スライダー７１を横方向にカットした断面図である。
【００３４】
係る構成の例のエレメント７０は、テープ９に設けられた１２本分の歯部８が一列に並んで示されており、係るテープ９と歯部８は、歯設置部５において、互いに係止されて設けられている。
尚、係るテープ９の左右側には更に複数の歯部８が設けられたテープ９が省略されており、係る１２本の歯部８は、その一部を示しているものである。
【００３５】
スライダー７１は、係る歯部８を跨ぐ様にして係る列状の歯部８によって構成されるエレメント７０に沿ってスライド可能に設けられ、係る歯部８とテープ９の境目の凸部を抜防止部６として、係るスライダー７１の跨ぎ掛部７にて係る抜防止部６に引掛けるようにして係る歯部８から外れないように設けられている構成の例である。
【００３６】
また、係るスライダー７１を移動する際の引手となるつまみ５９は、本構成の例においては、係るスライダー７１の、歯設置部５の対向した位置、つまり跨ぎ掛部７の対向した位置である跨ぎ掛対向部４に設けられた構成の例である。
【００３７】
尚、係るつまみ５９の位置について、図１（ｂ）の構成の例におけるつまみ５９の位置は、スライダー７１において、テープ９の面と略同方向の面であるテープ面同方向部３に設けられた構成の例となっており、係る歯状移動式係止構造１を可撓性シート部材１０の面に合わせて設けた際に、係るつまみ５９が、係る可撓性シート部材１０の面に対して、略面直方向に向くので、正面から引手としてつまみ易いという有用性を備えている一方、係るつまみ５９に、係止部材または保持部材１９または設置アイテム１８を設けた構成とした際に、係る重量で、係るつまみ５９が下を向き、係るテープ９が捻じられてしまい、重量によっては、スライダー71がスライドし難くなるというマイナスな面もある構成である。しかし、いわゆる、通常は向かい合った２列の歯部８を噛合せて開閉させる構成である、ファスナーのエレメント７０を、一列だけ用い、係る１列のエレメント７０に、複数のファスナースライダー７１を挿入して設けることによって、本構成における歯状移動式係止構造１の代用とする構成としても良く、既存の設備でより低いコストで製作することが可能でもあり、有用である。
【００３８】
一方、図１（a）の構成の例のつまみ５９は、歯設置部５の対向した位置、つまり跨ぎ掛部７の対向した位置に設けられている為、係るつまみ５９に、係止部材または保持部材１９または設置アイテム１８を設けた構成とした際に、係るテープ９の面の方向と、係るつまみ５９を介して重力により引っ張られる方向がほぼ一致する為、係るテープ９が捻じれ難く、有用である。
【００３９】
また、本発明に示される様に、設置アイテム１８等を設置する設置部であるスライダー７１が、係る複数の歯部８を、スライドする構成とすることによって、また、テープ９を必要に応じて丈夫な生地等である構成とすることによって、柔軟で丈夫な移動係止構造となり、例えば、係る移動係止構造を、可撓性を有するシート部材である可撓性シート部材１０に、係る移動係止構造である歯状移動式係止構造１のテープ９部にて設けることによって、係る可撓性シート部材１０の柔軟性を損なわず、取り付けも比較的容易で、係るスライダー７１を自由に移動することによって、収納位置も自由に変更可能で、また、係る歯状移動式係止構造１の長さも自由に切断可能に、係る可撓性シート部材１０に設置可能な収納ユニット２を構成することが可能で、大変有用である。
【００４０】
図１（ｂ）の構成の例は、図１（a）の構成の例における歯状移動式係止構造１と略同等の構成において、つまみ５９の位置は、スライダー７１において、テープ９の面と略同方向の面に設けられた構成の例の縦断面図であり、係る効果等は、上記に記載された通りである。
【００４１】
図１（ｃ）の構成の例は、図１（ｂ）の構成の例と同等の歯状移動式係止構造１が、可撓性シート部材１０に設けられた構成の収納ユニット２の例である。
可撓性シート部材１０に設けられた歯状移動式係止構造１は、テープ９部にて、係る可撓性シート部材１０に係止して設けられており、係る、スライダー７１が８個設けられた構成の例であり、係るスライダー７１に、リングの保持部材１９が設けられており、最左の係止ペア１７には、係るリングに更に保持部材１９として紐状体が２本設けられている構成の例である。
係る構成とすることによって、係る可撓性シート部材１０にて構成された収納ユニット２が、可撓性を備えた歯状移動式係止構造１を備えることが可能となり、また、係るスライダー７１を移動させても、例えば、ファスナーであれば開閉してしまうが、係る構成とすることによって、開閉することなく、１つのスライダー７１に保持部材１９を備えて移動することが可能となり、有用である。
【００４２】
尚、係るテープ９部と可撓性シート部材１０との係止方法は、縫製でも良いし、溶着でも、接着でも、面ファスナーでも、ファスナーでも、ステープラーでも、マグネットでも良く、その他、本発明の技術的思想の範囲内、即ち、同一の作用効果を発揮できる範囲内で限定しない。
【００４３】
係る構成によって、可撓性シート部材１０に、保持部材１９を設け、設置アイテム１８を吊設したり、係止したり、保持させることが容易になり、且つ、係る保持部材１９はその位置を自由に移動可能となり、係る設置アイテム１８のサイズ等によって、設置位置を自由に変更できるものである。
【００４４】
係る可撓性シート部材１０に、移動可能な保持部材として、一般的に壁等に用いられるレール状の保持部材を設けた場合、シートの表面に貼付することになり、係る可撓性の為比較的剥がれ易く、強度的な懸念もあり、一般的では無く、また、係るレールがリブの様な効果を持つことにより、シートの可撓性を失わせることになり、例えば使わない時は畳みたい場合などは、適切ではなく、そうした点の対策においても、本図の構成は有用である。
【００４５】
係る構成によって、可撓性シート部材１０において、自由に移動可能な係止構造の構成となり、有用である。
【００４６】
また、係る係止部材または保持部材１９は、他に、面ファスナーでも、磁石でも、クリップでも、ネジ止めでも、フックでも良く、本発明の技術的思想の範囲内、即ち、同一の作用効果を発揮できる範囲内で限定しない。
また、可撓性シート部材１０の設置方法は、吊り下げでも、周囲を枠体に係止でも、端部を筒状に縫製した係る筒状に棒を通してもよく、その他、その設置方法は特に限定するものではない。
エレメント７０を構成する歯部８は、真鍮や鉄等の金属でも良いし、ポリアミドやポリエステル等の樹脂でも、木でも、カーボンでも、陶磁器でもよく、形状も、中空でも良いし中空でなくても良いし、コイル状でも良く、その他、本発明の技術的思想の範囲内、即ち、同一の作用効果を発揮できる範囲内で限定しない。
エレメント７０を構成するテープ９は、ポリエステルやポリアミドの樹脂でも良いし、綿や麻の自然素材の生地でも良いし、ガラスクロスでも、カーボンクロスでも良く、その他、本発明の技術的思想の範囲内、即ち、同一の作用効果を発揮できる範囲内で限定しない。
また、係るテープ９と歯部８の歯設置部５における係止方法は、融着でも良いし、挟持でも、係るテープ９に、溶融した樹脂を型材にて成形して設けても良いし、縫製でも良く、その他、本発明の技術的思想の範囲内、即ち、同一の作用効果を発揮できる範囲内で限定しない。
また、係るエレメント７０は、一般に衣服等に使用されている金属製又は樹脂製の開閉部材として用いられているものを利用しても良く、特に種類や構造等について限定されるものではなく、スライダー７１を移動することで布状の部材を、対向する歯部８が対になって互いに噛み合わさって分割・結合・部分開口等できるエレメント７０を、対ではなく、単独で設けて代用する構成としてもよく、また、係るスライダー７１も同様に、係るファスナーのスライダー７１を代用する構成としても良い。
【００４７】
抜防止部６は、図１（ａ）、図１（ｂ）の構成の例においては、歯部８がテープ９と係止されている歯部８の端部を凸部として、係るスライダー７１がエレメント７０から抜けるのを防止する構成となっているが、歯部８自体に凹凸部を備えて、係る凹凸部に跨ぎ掛部７が引っ掛かることによって抜け防止とする構成としても良く、その他、本発明の技術的思想の範囲内、即ち、同一の作用効果を発揮できる範囲内で限定しない。
【００４８】
スライダー７１は、鉄や真鍮等の金属でも良いし、ポリアミドやポリアセタール等の樹脂でも良いし、陶磁器でも、カーボンでも、木でも良く、その他、本発明の技術的思想の範囲内、即ち、同一の作用効果を発揮できる範囲内で限定しない。
また、図面には示されていないが、スライダー７１には、係るスライダー７１が必要に応じてスライドするのを止める為のストッパーを備えたロック機構を備えた構成としても良く、係るロック機構によって設置アイテム１８を係るスライダー７１に設けた際に、勝手に係るスライダー７１がスライドして動いてしまわず、有用であり、また、係るスライダー７１に備えられたつまみ５９が起きた時、つまり、例えば、係るつまみが、スライダーに対して略直角になった際に、係るつまみ５９と連動して動くストッパーが歯部８の間に引っかかって、係るロック機構が機能する構成とすることによって、係る設置アイテム１８が設けられたスライダー７１が移動し難く、有用である。
【００４９】
図1（ｃ）の収納ユニット２の製造方法は、歯状移動式係止構造１として、テープ９の略端部の歯設置部５に、一列に複数の歯部８を設けてエレメント７０を構成させ、複数のスライダー７１を係るエレメント７０の端から歯部８を挿通して係るスライダー７１の跨ぎ掛部７と、係る歯部８の抜防止部６にて、係るスライダー７１が係る歯部８から抜けないように設け、係る歯状移動式係止構造１を、可撓性シート部材１０に設けて、収納ユニット２とし、係る歯状移動式係止構造１に備えられた、単独のスライダー７１に係止部材または保持部材１９、あるいは、係止部材または保持部材１９が備えられた設置アイテム１８を備えて、係る設置アイテム１８が収納された、収納ユニット２とするものである。
【００５０】
また、係る収納ユニット２の製造方法において、収納ユニット２を構成する部材を設ける順番は、その他、必要に応じて変更可能であるものとする。
【００５１】
図２は、本発明に係る歯状移動式係止構造１の実施の構成の例を示しており、可撓性シート部材１０に、係る可撓性シート部材１０を設置する為のシート設置具２９が１３個最上部に設けられている。
係る可撓性シート面には２段のエレメント７０が設けられており、それぞれのエレメント７０に、複数のスライダー７１が設けられており、それぞれのスライダー７１に、係止部材または保持部材１９を設けており、最上段のエレメント７０には、リング状の係止部材または保持部材１９が設けられており、何かを吊設して収納する等の使用が可能であり、更に、収納構造物３０である二つのポケットが係るスライダー７１に設けられており、係るポケットに収納可能な構成となっている。
２段目には、スライダー７１に設けられたリング状の係止部材または保持部材１９の１つに、設置アイテム１８として、箒が保持されており、その他のリング状の係止部材または保持部材１９にも、図面には示されていないが、例えば、帽子や衣類、タオル、ホワイトボード等、様々な設置アイテム１８を引掛けたり、保持して、係る可撓性シート部材１０を収納ユニット２とすることが可能となり、有用である。
尚、図２においては、エレメント７０は２段に設けられているが、３段でもそれ以上の構成でも良いし、水平方向に設けても、斜め方向に設けても、波状に設けても良く、限定しない。
【００５２】
尚、係るポケットは、容器でもよく、その他収納する収納構造物３０であれば、その形態は綿や麻等その他天然繊維や、ナイロンやポリエステルやビニール等樹脂系やその他素材のシートによる袋状でも、樹脂や金属や木等その他素材の硬質系の容器でも良く、その他、本発明の技術的思想の範囲内、即ち、同一の作用効果を発揮できる範囲内で限定しない。
【００５３】
その他、例えば、スキーを立てかけたり、壁に直接複数の保持部材１９を設けることができない場合や、設置アイテム１８や壁を傷つけたり汚したくない時や、立てかけて保持しているものを、そのまま、まとめて巻いてどこかに持っていくこともできる。また、保持したい設置アイテム１８の保管位置に応じて、係止ペア１７を移動して保持でき、有用である。
なお、係る可撓性シート部材１０は、カーテンとしても良く、係る構成によって、カーテンの好きな場所に、好きなサイズのポケット等の収納構造物３０や、係止部材または保持部材１９を設けることが可能な構成となり、例えば係る保持部材１９をフックにして、帽子をかけても良いし、病院のベッドを囲うカーテン等でも、狭い場所で作業をしたり、収納スペースとしても、係る係止部材または保持部材１９の活用が可能となり、その有用性の幅は広い。
【００５４】
尚、係るシート設置具２９の形態は、カーテンを吊るす構成であれば、その他どのような形態でもよく、本発明の技術的思想の範囲内、即ち、同一の作用効果を発揮できる範囲内で限定せず、材質も同様に、ポリプロピレン、ナイロン、ポリカーボネート等の樹脂、紐状体、鉄、真鍮等の金属、その他、限定せず、必要な強度を満足していることが必要である。
また、カーテンの素材、色、サイズ、形状も、可撓性シート部材１０同様に限定しない。
【００５５】
また、係る可撓性シート部材１０を、巻いて留めることが可能な構成とすることによって、係る収納ユニット２を、必要のない時は小さくまとめて保管できるし、係る設置アイテム１８をまとめて巻いた状態運んだり、保管することも可能であり、有用である。
【００５６】
また、係る着脱テープ係止部６９は、歯状移動式係止構造１のスライダー７１に、収納物でもある設置アイテム18の重量に耐えられるだけの強度を満足している構成とすることが望ましく、その為に、係るテープ９の強度を備えるか、あるいは、図面には示されていないが、係るテープ９に補強布等の補強材を備える構成とすることが望ましい。
【００５７】
図３は、歯状移動式係止構造１を係る可撓性シート部材１０に設けた構成の例の断面図である。
図３（ａ）の構成の例は、図１（ｂ）の構成の例の様に、テープ９の面と略同方向の面に、つまみ５９が設けられた構成の例を示している。係る歯状移動式係止構造１は、係る歯状移動式係止構造１のテープ９部において可撓性シート部材１０に係止して設けられており、係る一列に並んだ歯部８によって構成されるエレメント７０に、スライダー７１が設けられ、係るスライダー７１に、収納構造物３０であるポケットが吊設された収納ユニット２の構成の例である。
係る、テープ９の面と略同方向の面に設けられた構成においては、係るつまみ５９に吊設されたポケット等の設置アイテム１８や係止部材または保持部材１９の重量によっては、係るテープ９が捻じれて係る歯部８の列の並びが捻じれて、スライダー７１の動きが悪くなる可能性があるという課題がある一方、係るつまみ５９が正面にあるので人がつまんでスライドさせ易い点や、一般的なファスナーのエレメント７０とスライダー７１を代用することも可能な構成である為、コストとバリエーションにおいても、有用性のある構成の例である。
【００５８】
図３（ｂ）の構成の例は、図３（a）の構成の例において、図１（a）の構成の例の様に、係るつまみ５９が、スライダー７１の、跨ぎ掛部７と対向する位置である跨ぎ掛対向部４に設けられた構成の例であり、係るつまみ５９に設けられたポケット等の設置アイテム１８や係止部材または保持部材１９の重量に関わらず、係るテープ９が捻じれず真直ぐ下に係るテープ９を引っ張ることになるので、歯部８の列が略乱れず、よりスムーズなスライダー７１のスライドが可能で、有用である。
【００５９】
また、図3（ａ）あるいは図3（ｂ）の構成の例においては、歯状移動式係止構造１のスライダー７１が丸見えであり、外観的に好ましくないようであれば、図面には示されていないが、係る可撓性シート部材１０をプリーツ加工して係る歯状移動式係止構造１を覆う様に、設けても良いし、また、可撓性シート部材１０と同等の模様の可撓性シート１０を、係る歯状移動式係止構造１を覆う様に、設けた構成とすることによって、外観的にも見映えが良くなり、有用である。
【００６０】
また、係るテープ９は、係る可撓性シート部材１０に着脱可能に係止してもよく、係る着脱可能な係止手段は、ホック、ボタン、面ファスナー、フック、磁石、紐、ファスナー等、本発明と同一の作用効果を発揮できる範囲内でその係止手段を限定せず、係るテープ９を着脱可能な構成とすることにより、必要に応じて係るテープ９を自由に着脱可能に係止可能となり、サイズや材質やデザインを選択可能となり、有用である。
【００６１】
図４は、、本発明に係る歯状移動式係止構造１の、スライダー７１のバリエーションの構成の例を示した断面図である。
図４（a）の構成の例におけるスライダー７１は、図３（ａ）と図３（ｂ）の構成の例のスライダー７１のつまみ５９が設けられた位置を、スライド可能なつまみスライド部４９において、スライド可能に位置変更可能な構成の例である。
係るつまみ５９は、穴を備えており、また、係るスライダー７１のテープ面同方向部３と、跨ぎ掛対向部４を橋架するように設けられた棒または板によるつまみスライド部４９に沿って、係るつまみ５９の穴に係る橋架された棒または板を挿通させて、スライドして移動可能な構成の例である。
係る構成によって、図３（a）の構成の例で示されるつまみ５９の位置であるテープ面同方向部３と、図３（ｂ）の構成の例で示されるつまみ５９の位置である跨ぎ掛対向部４も、係るつまみ５９の位置は自由に移動可能であり、それぞれのつまみ５９の位置の有用性を備え、有用である。
尚、係るつまみスライド部４９は、本構成の例においては、橋架された棒または板によって構成された例であるが、レール状の略T字型の凸部でも、凹部でも良いし、その他、本発明の技術的思想の範囲内、即ち、同一の作用効果を発揮できる範囲内で限定しない。
【００６２】
図４（ｂ）の構成の例におけるスライダー７１は、歯部８が構成するエレメント７０が挿通されたレール穴Ａ４７と、跨ぎ掛部７の対向する側に、レール穴Ｂ４８を備えた構成の例である。
尚、係るレール穴Ａ４７と、レール穴Ｂ４８は、一部が繋がっている構成としても良い。
図４（ｃ）は、係る図4（ｂ）の構成のスライダー７１のレール穴Ｂ４８に、係止部材または保持部材１９を介して、収納構造物３０として、ポケットが設けられている構成である。
尚、図４（b）と図４（c）のレール穴B４８には、レール穴A４７と同様に、跨ぎ掛部７の間に設けられたスリットが設けられているが、係るスリットは無い構成としても良い。
【００６３】
係る構成とすることによって、図3（ｂ）の構成と略同等の有用性を発揮し、また、係るスライダー７１に、一般的なファスナーのスライダー７１を代用することもでき、それによって、つまみ５９がテープ面同方向部３に備えられているので、係るスライダー７１のスライド移動も係るつまみ５９を引くことが可能であるので容易であり、つまり、係るつまみ５９と係止部材または保持部材１９が兼用しておらず、且つ、係るつまみ５９が、係る可撓性シート部材１０の正面に立った人から見て、正面にあるので引き手としてスライドし易く、有用である。
【００６４】
図５は、本発明に係る設置アイテム１８が案内表示物１２０である構成の説明図であり、可撓性シート部材１０に設けられた水平方向の２本のエレメント７０にそれぞれ複数のスライダー７１が設けられており、係る上下４つスライダー７１に、２枚の案内表示物１２０が係止部材または保持部材１９を介して設けられている構成の例である。
【００６５】
係る構成の例の様に、２枚の案内表示物１２０はそれぞれ違うサイズであるが、係る構成の様に、様々なサイズの案内表示物１２０に合わせて係止部材または保持部材１９の位置を変更することによって、テント生地や帆布等の店頭前や特設イベント会場の特設テントなど、スペースの無いところ、期間限定で撤去する予定の会場等で、場所とコストを取らず、様々なサイズや数の案内表示の自由度が広がり、有用である。
【００６６】
図６は、本発明に係る歯状移動式係止構造１の、テープ９が、着脱可能な着脱テープ係止部６９を備えた構成の例である。
図６（a）の構成の例における歯状移動式係止構造１においては、３つのスライダー７１がリング状の係止部材または保持部材１９を備えてエレメント７０に設けられており、係る歯状移動式係止構造１のテープ９に、３つの逆U字状に設けられた紐状の着脱テープ係止部６９に設けられた構成の例であり、係る着脱テープ係止部６９にて、係止して係る歯状移動式係止構造１を設けることが可能となり、係るスライドして移動可能なスライダー７１によって、スライドして移動可能な歯状移動式係止構造１を構成する例である。
係る構成とすることによって、より、自由度が高く係る歯状移動式係止構造１を設置してスペースを取らず、収容物によって、自由にスライドして移動可能な収納部を構成することが可能で、有用である。
【００６７】
図６（ｂ）の構成の例における収納ユニットは、図６（a）の構成の例における歯状移動式係止構造１を可撓性シート部材１０に設けた構成の例であり、係る歯状移動式係止構造１のテープ９に設けられた３つの逆U字状の着脱テープ係止部６９を備え、係る着脱テープ係止部６９にて、係る歯状移動式係止構造１が可撓性シート部材１０に設けられ、係る歯状移動式係止構造１には、１つあたりの歯状移動式係止構造１には、８つのスライダー７１と係るスライダー７１に設けられ、係る歯状移動式係止構造１が、３段可撓性シート部材１０に設けられた構成の例である。
また、係る１番上の歯状移動式係止構造１には、左から２番目のスライダー７１には設置アイテム１８としてホワイトボードが設けられており、また、右から３番目のスライダー７１には、帽子が設けられており、係る上から２番目の歯状移動式係止構造１には、右から４番目のスライダー７１に、設置アイテム１８としてバッグが設けられている構成の例となっている。
尚、係る歯状移動式係止構造１においては、係る着脱テープ係止部６９が、１つの歯状移動式係止構造１あたり、３つである構成であるので、設置アイテム１８の重量によって、一番その側の着脱テープ係止部６９によって可撓性シート部材１０が内側に引っ張られるので、係る可撓性シート部材１０の左右にもシート設置具２９を設け、係る可撓性シート部材１０が内側に引っ張られるのを抑えた構成の例である。
係る着脱テープ係止部６９は、係る構成の例の様に３か所の着脱テープ係止部６９だと内側に引っ張られ易い構成となるので、係る着脱テープ係止部６９の数は、多い方が望ましく、また、例えば、係るテープ９部全面にて着脱可能に係止可能な、面ファスナーとする構成とすることによって、係る設置アイテム１８の重量が、真っ直ぐ上にもかかり、真っ直ぐ上の可撓性シート部材１０とシート設置具２９でも係る設置アイテム１８の重量を受けることとなるので、係る可撓性シート部材１０が内側に引っ張られる力が分散され、有用である。
【００６８】
係る着脱可能な着脱テープ係止部６９は、紐状でも、面ファスナーでも、その他、ホック、ボタン、フック、磁石、ファスナー等、本発明と同一の作用効果を発揮できる範囲内でその係止手段を限定せず、また、係るテープ９を着脱可能な構成とすることにより、必要に応じて可撓性シート部材やテープを自由に着脱可能に係止可能となり、特に、係るテープを着脱可能なシート係止部とすることは、必要に応じてサイズや材質やデザインを選択可能となり、有用である。
【００６９】
尚、上記一連の本図内容において、可撓性シート部材１０は、可撓性を有する略シートであればその素材を特に限定するものではなく、例えば、ポリエステルやナイロンなどの合成樹脂、ビニール、ゴム、ガラス繊維、綿や麻の天然素材でもよく、その色についても透明であっても不透明であっても蛍光色でも特に限定せず、また厚さやサイズについても特に限定するものではない。使用場所や想定される係止、保持、収納物によっては、耐水性や強度に優れた素材が望ましい。
係るポケットはその他形態の容器でもよく、係る収納構造物３０の形態は本発明の技術的思想の範囲内、即ち、同一の作用効果を発揮できる範囲内で限定しない。
【００７０】
また、係るシート設置具２９の形態は、係るシート部材を設置する形態であればよく、その他、穴でも、紐でも、ワイヤーでも、棒でも良く、その形態は本発明の技術的思想の範囲内、即ち、同一の作用効果を発揮できる範囲内で限定しない。
また、係る係止部材または保持部材１９は、様々な設置アイテム１８に合わせた形態、構造で良く、紐、面ファスナー、ボルトナット、磁石、リング、フック、筒状部材、針金、鎖、粘着テープ、ゴム、棒、ベルト等、その他その形態を本発明の技術的思想の範囲内、即ち、同一の作用効果を発揮できる範囲内で限定しない。
【００７１】
また、それぞれの図において、本発明の説明は、可撓性シート部材１０の片面だけに歯部８移動式係止構造が備えられた構成であるが、両面に設けても良い。
設置アイテム１８は、係止部材または保持部材１９を介して係るスライダー７１に設置されるアイテムであり、例えばポケットや、袋、籠、網等の収納構造物３０でも良いし、収納あるいは保持される収納物である、例えば、帽子や衣類、タオル、ホワイトボード等の物品でもよく、その他、本発明の技術的思想の範囲内、即ち、同一の作用効果を発揮できる範囲内で限定しない。
【００７２】
また、本願発明に係る収納ユニット２あるいは歯状移動式係止構造１は、壁に設ける構成としても良いし、天井に設ける構成としても良い。
特に、係る収納ユニット２あるいは歯状移動式係止構造１を、天井に設けることによって、容易に天井を収納スペースを備えることが可能となり、また、壁に係る収納ユニット２あるいは歯状移動式係止構造１によって構成される設置アイテム１８を設けることによって、例えば、壁の１平方メートルあたりに収納可能なバッグ等の設置アイテム１８と比較して、天井から吊設して収納可能なバッグ等の設置アイテム１８の方が、多く収納可能で、有用な構成である。
【産業上の利用可能性】
【００７３】
本発明は、壁への穴等、損傷や汚れを抑制し、簡単で、自由度が高い係止、保持、収納が可能とすることで、スペースを取らない収納、保管、自由度の高い案内表示の掲示を可能にすることなど、応用、活用の範囲が広く、利用できる魅力的な発明品となり、産業上利用可能性は極めて高いと思慮されるものである。
【符号の説明】
【００７４】
１    歯状移動式係止構造
２    収納ユニット
３    テープ面同方向部
４    跨ぎ掛対向部
５    歯設置部
６    抜防止部
７    跨ぎ掛部
８    歯部
９    テープ
１０  可撓性シート部材
１８  設置アイテム
１９  係止部材または保持部材
２９  シート設置具
３０  収納構造物（ポケット、容器類）
４７  レール穴Ａ
４８  レール穴Ｂ
４９  つまみスライド部
５９  つまみ
６９着脱テープ係止部
７０  エレメント
７１  スライダー
８９  カーテン
１２０  案内表示物
【要約】
【課題】係止、保持、収納位置、数量、サイズを自由に調整でき、壁への穴等の損傷や汚れを最小限にすることが可能な自由度の高い係止、保持、収納構造物を提供する。
【解決手段】エレメントと複数のスライダーとテープからなり、
前記エレメントは、複数の歯部がテープの端部の、歯設置部に並んで１列に設けられており、前記歯部は、抜防止部を備え、前記スライダーは、前記抜防止部を跨ぎ掛部にて、跨いで設けられて、前記エレメントにスライド可能に設けられ、
前記抜防止部は、前記歯部に跨いで設けられた、前記スライダーの抜け防止機能を備えた部分であり、
前記テープの端部に並んで１列に設けられた前記エレメントと、複数の前記スライダーを１つのセットとして構成されて設置アイテムを自由な位置に係止または保持可能であるという手段を取った。
【選択図】図１【図１】
0006667888.tif 000002
【図２】
0006667888.tif 000003
【図３】
0006667888.tif 000004
【図４】
0006667888.tif 000005
【図５】
0006667888.tif 000006
【図６】
0006667888.tif 000007